(57)【要約】【課題】ナットや雄ネジ材の周辺に障害物がある場合においても、ナットへの装着を容易に行い、かつ、ナットの締付作業を効率よく行うことができるラチェットレンチを提供する。【解決手段】雄ねじ材５に取り付けられたナット４の周辺に嵌合して回転を伝えるヘッド部材６と、ヘッド部材６を回転させるハンドル３を有し、ハンドル３を前記雄ねじ材５の周方向に回動往復することによりナット４を一方向にのみ回転させて締緩するラチェットレンチ１において、ヘッド部材６を有するヘッド装置２は、ハンドル３の先端と着脱可能な連結部９を備え、連結部９は、ヘッド部材６に対してハンドル３の連結位置を複数有しており、その連結位置を選択してハンドル３を連結できる。【選択図】図１
2015120215.tif 000002
【特許請求の範囲】
【請求項１】
雄ねじ材に取り付けられたナットの周辺に嵌合して回転を伝えるヘッド部と、前記ヘッド部を回転させるハンドル部を有し、
前記ハンドル部を前記雄ねじ材の周方向に回動往復することにより前記ナットを一方向にのみ回転させて締緩するラチェットレンチにおいて、
前記ヘッド部を有するヘッド装置は、前記ハンドル部の先端と着脱可能な連結部を備え、
前記連結部は、前記ヘッド部に対して前記ハンドル部の連結位置を複数有しており、その連結位置を選択して前記ハンドル部を連結できることを特徴とするラチェットレンチ。
【請求項２】
前記ヘッド装置は、前記連結部を複数有していることを特徴とする請求項１に記載のラチェットレンチ。
【請求項３】
前記ヘッド装置は、前記ヘッド部に対する前記連結部の向きを調整する変向調整機構を備えていることを特徴とする請求項１または２に記載のラチェットレンチ。
【請求項４】
前記ヘッド装置は、前記ヘッド部に対する前記連結部の位置を調整する位置調整機構を備えていることを特徴とする請求項１ないし３に記載のラチェットレンチ。
【発明の詳細な説明】
【技術分野】
【０００１】
本発明は、雄ネジ材に取り付けられたナットを締め付けたり、緩めたりするラチェットレンチに関する。
【背景技術】
【０００２】
自動車、農機具、その他種々の装置の組み立て、整備等を行う際に、ボルト螺挿されたナットを締め付けたり緩めたりする工具としてラチェットレンチが用いられている。ラチェットレンチは、ナットに嵌合するヘッド部と、前記ヘッド部を回転させるハンドル部を有し、ヘッド部は、ラチェット機構によりハンドルの回動往復操作に対して、ナットの回転方向が一方向に制限されており、ハンドルを連続的に回動往復させるだけでナットを一定の方向にのみ回転させることができ、工具を何度も差し替える必要がなく、ナットの締め付け作業を効率的に行えるものとして知られている（例えば、特許文献１参照）。
【先行技術文献】
【特許文献】
【０００３】
【特許文献１】実用新案登録第３１８５９９３号（第４頁、第１，２図）
【発明の概要】
【発明が解決しようとする課題】
【０００４】
しかしながら、特許文献１のような従来のラチェットレンチにあっては、ヘッド部とハンドル部とが固着されているため、雄ネジ材の周辺に障害物がある場合、ラチェットレンチのヘッド部を雄ネジ材の端から所定位置のナットまで移動させる際に、ハンドル部が前記障害物に干渉してヘッド部がナットまで到達できないという問題があった。更には、ヘッド部がナットまで到達したとしても、障害物によりハンドル操作をするスペースが十分に確保できず、わずかな角度でしかハンドルを振ることができず作業時間や労力を要していた。
【０００５】
本発明は、このような問題点に着目してなされたもので、ナットや雄ネジ材の周辺に障害物がある場合においても、ナットへの装着を容易に行い、かつ、ナットの締付作業を効率よく行うことができるラチェットレンチを提供することを目的とする。
【課題を解決するための手段】
【０００６】
前記課題を解決するために、本発明のラチェットレンチは、
雄ねじ材に取り付けられたナットの周辺に嵌合して回転を伝えるヘッド部と、前記ヘッド部を回転させるハンドル部を有し、
前記ハンドル部を前記雄ねじ材の周方向に回動往復することにより前記ナットを一方向にのみ回転させて締緩するラチェットレンチにおいて、
前記ヘッド部を有するヘッド装置は、前記ハンドル部の先端と着脱可能な連結部を備え、
前記連結部は、前記ヘッド部に対して前記ハンドル部の連結位置を複数有しており、その連結位置を選択して前記ハンドル部を連結できることを特徴としている。
この特徴によれば、ナットや雄ネジ材の周辺に障害物があった場合においても、ヘッド装置をハンドル部から取り外してヘッド部をナットに嵌合させることができるため、ヘッド部のナットへの装着を容易に行え、かつ、ヘッド部がナットに嵌合したヘッド装置の連結部に対して、ハンドル操作可能な連結位置を適宜選択してハンドル部を連結することができるため、ナットの締付作業を効率よく行うことができる。
【０００７】
前記ヘッド装置は、前記連結部を複数有していることを特徴としている。
この特徴によれば、複数の連結部のうち、ハンドル部を操作し易い連結位置を向いた連結部を適宜選択して連結することができる。
【０００８】
前記ヘッド装置は、前記ヘッド部に対する前記連結部の向きを調整する変向調整機構を備えていることを特徴としている。
この特徴によれば、変向調整機構により、ヘッド部に対して連結部の向きを傾けてハンドル部の操作しやすい連結位置に適宜設定することができる。
【０００９】
前記ヘッド装置は、前記ヘッド部に対する前記連結部の位置を調整する位置調整機構を備えていることを特徴としている。
この特徴によれば、位置調整機構により、ヘッド部に対して連結部の位置をずらして障害物を避けた位置に連結部を配置することができる。
【図面の簡単な説明】
【００１０】
【図１】実施例１のラチェットレンチを示す分解斜視図である。
【図２】実施例１のラチェットレンチの平面図と連結部の拡大図である。
【図３】除雪機の車軸位置を調整するナットに、実施例１のヘッド装置を装着する様子を示す全体図とナット周辺の拡大図である。
【図４】ヘッド装置の連結部材を傾斜させてハンドルと連結する状態を示す斜視図である。
【図５】実施例１のラチェットレンチを操作している様子を示す斜視図である。
【図６】（ａ）は実施例２のラチェットレンチにおけるヘッド装置の正面図であり、（ｂ）はその右側面図である。
【図７】実施例２のラチェットレンチの平面図である。
【図８】実施例３のラチェットレンチを示す斜視図である。
【図９】ヘッド装置の凹部の位置を変更する状態を示す斜視図である。
【発明を実施するための形態】
【００１１】
本発明に係るラチェットレンチを実施するための形態を実施例に基づいて以下に説明する。
【実施例１】
【００１２】
実施例１に係るラチェットレンチにつき、図１から図５を参照して説明する。本発明のラチェットレンチ１は、雄ネジ材５に取り付けられたナット４を一方向に回転させる際に用いられ、本実施例においては、具体例として、図３に示されるような除雪機１４の車軸１５ａの位置を調整するために備わっている雄ネジ材５に取り付けられているナット４を回転させる際に、本発明のラチェットレンチ１を使用する場合を説明する。
【００１３】
ラチェットレンチ１は、図１の分解斜視図に示されるように、主にヘッド装置２及びハンドル３で構成されている。ヘッド装置２は、雄ネジ材５に取り付けられたナット４に嵌合させるヘッド部材６、ヘッド部材６を内包しハンドル３の回動をヘッド部材６に伝達するラチェット基部７及びラチェット基部７の端部に収容される連結部材８を有している。
【００１４】
ヘッド部材６は、ナットを拘持して回転させるものであり、ヘッド装置２の端部に内包されるように配設され、その内周にナットを拘持する断面円弧状の歯が環状に形成された嵌合片６ａを有している。
【００１５】
ラチェット基部７は、主にヘッド装置２の外形を呈し、前記ヘッド部材６を環状に内包する貫通孔７ａと、ヘッド部材６とは反対側の端部が二又の突出片７ｂ，７ｂを有し、その突出片７ｂ，７ｂの対向する内壁面７ｃ，７ｃとこれらの間に垂直に位置する内底面７ｄとでコ字状を成している。また、ラチェット基部７の突出片７ｂ，７ｂの各端面７ｅ，７ｅは、後述する連結部材８にハンドル３を連結させて連結部材８を傾斜した時にハンドル３の先端面１３ａと接触しないよう丸みをおびた形状となっている。また、突出片７ｂ，７ｂには、連結部材８を傾斜可能に軸止するための軸芯１０を貫通させる軸孔７ｆ，７ｆが設けられている。
【００１６】
連結部材８は、略直方体の形状をなし、突出片７ｂ，７ｂの間に収容されている。また、連結部材８は、軸芯１０を貫通させる軸孔８ａを有し、軸芯１０を軸として傾斜した時にラチェット基部７の内底面７ｄと接触しないよう内底面７ｄ側の外壁面８ｂが丸みをおびた形状をなしている。また、連結部材８は、外壁面８ｂと反対側の面に、軸芯１０と垂直方向に凹部（連結部）９が設けられている。なお、凹部９は、その内周面にねじ切りが形成され、後述するハンドル３の先端の凸部１２と嵌合可能な雌ネジとなっている。
【００１７】
軸芯１０は、ラチェット基部７の軸孔７ｆ，７ｆと連結部材８の軸孔８ａにワッシャー１１，１１を介して差し込まれ、軸芯１０によって連結部材８が軸芯１０の周方向に傾斜可能になっている。このように、突出片７ｂ，７ｂ、連結部材８及び軸芯１０が変更調整機構として機能し、ナット４の拘持のために固定されたヘッド部材６に対して連結部材８のみを傾斜させることにより凹部９の向きを調整することができる。
【００１８】
ハンドル３は、略直方体の形状を成し、その先端面１３ａに凸部１２を有している。凸部１２はその外周にねじ切りが形成され、連結部材８の凹部９と嵌合可能な雄ねじとなっている。また、ハンドル３は、動往復操作をするための把持部１３を有しており、把持部１３は、作業性や取扱いの容易さを考慮してカラビナやシノ付き等の形状としてもよく、手で把持したときに手に馴染むとともに滑り止めのためにゴム等の弾性部材が巻着されていてもよい。
【００１９】
図１及び図２に示すように、ヘッド装置２とハンドル３を連結させたラチェットレンチ１は、ナット４の拘持で位置が固定されたヘッド部材６に対して、連結部材８を首振り状態で傾斜させ、ハンドル３を様々な角度に配置することが可能になっている。このように、ラチェットレンチ１は、ヘッド部材６を有するヘッド装置２がハンドル３の先端と着脱可能な凹部９を備え、凹部９は、ヘッド部材６に対してハンドル３の連結位置を複数有していることによりその連結位置を適宜選択してハンドル３を連結することができる。
【００２０】
なお、ヘッド部材６の回転は、ハンドル３の回動操作の動力がヘッド部材６に伝達されることにより行われ、ハンドル３を回動すると、ヘッド部材６の嵌合片６ａに拘持されたナット４がハンドル３の回動方向と同じ方向に回転するが、ハンドル３を逆の方向に操作しても嵌合片６ａが回転せず、拘持されたナット４の回転方向が一方向に制限されるラチェット機構により、ハンドル３の回動操作を連続して行うことができるようになっている。
【００２１】
また、前述の通りハンドル３の先端に形成された凸部１２は雄ネジであり、ヘッド装置２の凹部９はこれに螺挿可能な雌ネジ構造であるためハンドル３をヘッド装置２に対して回転させながら容易にヘッド装置２の凹部９に螺挿入してハンドル３を密接に固着することが可能となっており、ハンドル３の回動往復操作時にヘッド装置２とハンドル３がぶれるようなことがない。
【００２２】
次に、ラチェットレンチ１の使用方法について図３から図５を用いて説明する。説明においては、図３の除雪機１４の斜視図において、除雪機１４の車輪１５が円に見える方向を正面、除雪機１４の進行方向（紙面左側）を左、後退方向を右として説明する。
【００２３】
図３に示すように、除雪機１４を用いて沿道等の除雪作業中に、除雪機１４の車軸１５ａのズレによってクローラーベルト１６が緩み除雪作業が中断する場合がある。その際は、車軸１５ａの位置を左方向にずらすため、所定位置のナット４を締め付けて雄ネジ材５を左に移動させ、クローラーベルト１６のテンションを調整する必要がある。
【００２４】
調整作業は、まず、図４に示すように、作業正面に少なくとも雄ネジ材５の端部やナット４周辺が現れるようある程度当たりをつけてスコップ等で障害物となる雪１７を除雪する。ラチェットレンチ１のヘッド装置２のみを雄ネジ材５の端部から通し、雄ネジ材５の軸方向に沿って所定位置のナット４まで移動させ、ナット４にヘッド部材６を嵌合させる。その際、凹部９が作業正面側となるようにヘッド装置２を回転させてナット４にヘッド部材６を嵌合させるとともに、後述するハンドル３の回動往復操作が可能な向きに連結部材８を傾斜させておく。
【００２５】
次に、ハンドル３をヘッド装置２に取り付ける際にナット４の正面側に障害物となる雪１７がある場合は、その雪１７を避けた位置からハンドル３の凸部１２をヘッド装置２の傾斜された凹部９に螺入するようにハンドル３を回転させて連結する。
【００２６】
次に、図５に示すように把持部１３を持って回動往復操作を行い、その動力がヘッド部材６に伝達されてヘッド部材６が拘持しているナット４が一方向に回転して締め付けられ、それに伴って移動が許容された雄ネジ材５を移動させることができる。
【００２７】
このように、ラチェットレンチ１は、ナット４や雄ネジ材５の周辺に雪１７等の障害物があった場合においても、ヘッド装置２をハンドル３から取り外してナット４に嵌合させることができ、かつ、ハンドル操作可能な連結位置を適宜選択してハンドル３をヘッド装置２に取り付けることができる。
【００２８】
言い換えると、ラチェットレンチ１は、雄ネジ材５周辺に障害物があっても、ハンドル３を取り外すことができるために、雄ネジ材５の端部からナット４にヘッド部材６を嵌合させる過程でハンドル３の位置や形状が限定されることがない。また、ナット４周辺に障害物があっても、ハンドル操作可能な連結位置を適宜選択してハンドル３をヘッド装置２に取り付けることができるために、ハンドル操作の過程でハンドル３の位置や形状が限定されることがない。
【００２９】
また、ラチェットレンチ１は、ナット４にヘッド部材６を嵌合させた後にハンドル操作可能な連結位置を選択してハンドル３をヘッド装置２に取り付けることができるだけでなく、ハンドル３を装着してハンドル操作を行う過程においても、適宜連結位置を変更してハンドル操作を行うことができるため障害物の位置や形状に影響されることなく作業を行うことができる。
【００３０】
なお、本実施例においては、ヘッド装置２のみをナット４に嵌合させ、次いでハンドル３を連結させて使用する方法を説明したが、これに限らず、ヘッド装置２とハンドル３が連結された状態のラチェットレンチ１を雄ネジ材５に通してナット４に嵌合させてハンドル操作を行う場合も含まれることは言うまでもない。
【００３１】
また、除雪機１４の車軸１５ａの位置を調整するために備わっている雄ネジ材５に取り付けられているナット４を回転させる際に、本発明のラチェットレンチ１を使用する場合について説明したが、雄ネジ材５に取り付けられているナット４を回転させる際に使用するものであれば、それらが取り付けられている機械や位置は特に限定されるものではない。
【００３２】
また、雄ネジ材５に取り付けられているナット４を回転させる際に、雪１７が障害物となる場合を説明したが、これに限らず、雄ネジ材５やナット４の周辺にボルト、フレーム又はパイプ等の障害物がある場合にラチェットレンチ１を使用する場合も含まれる。
【００３３】
また、軸芯１０は、図１に示すようにラチェット基部７の軸孔７ｆ，７ｆと連結部材８の軸孔８ａに差し込まれ、連結部材８が軸芯１０の周方向に傾斜可能となっている例を示したが、軸芯が、図１の前記軸芯１０と垂直に、即ちヘッド部材６の回転軸方向と平行にラチェット基部７に差し込まれ、連結部材８がハンドル回動方向と同じ方向に傾斜可能となっているような場合には、ハンドル３の回動往復操作がナット４を嵌合しているヘッド部材６の回転動力とならないため本件発明に含まれない。
【実施例２】
【００３４】
次に、実施例２に係るラチェットレンチ１００につき、図６及び図７を参照して説明する。なお、前記実施例に示される構成部分と同一構成部分に付いては同一符号を付して重複する構成の説明を省略する。
【００３５】
図６に示すように、本実施例のラチェットレンチ１００のヘッド装置２１は、ヘッド部材６及びラチェット基部７１を有している。ラチェット基部７１は、主にヘッド装置２１の外形を呈し、前記ヘッド部材６を環状に内包する貫通孔７１ａと、ヘッド部材６とは反対側の端部が環状ヘッド部材６の回転軸方向の両側に厚みをもって張り出している。また、ラチェット基部７１は、ヘッド部材６とは反対側の端部にハンドル３の先端と嵌合可能な凹部（連結部）９１，９２，９２を有している。更に、凹部９２，９２は、凹部底が凹部９１の凹部底と近接するようにそれぞれ傾斜して設けられ、その傾斜と垂直な面となるよう凹部９１，９１の挿入面９２ａ，９２ａが凹部９１の挿入面９１ａに対して角度差をもつようにカットされている。
【００３６】
なお、角度差は、１０度から４５度の角度差が好ましいが、角度が大きすぎるとハンドル操作の際にヘッド部材６がナット４から滑り落ちて力が伝わらず、逆に角度が小さすぎると凹部２９を使用する意味がなくなることにより、１５度から３５度とするのが最も好ましい。
【００３７】
図７は、ヘッド装置２１とハンドル３を連結させたラチェットレンチ１００の平面図である。ラチェットレンチ１００は、ナット４の拘持で位置が固定されたヘッド部材６に対して、ナット４の正面以外の２つの異なる角度でハンドル３を配置することが可能となっている。このように、本発明のラチェットレンチ１００は、ヘッド装置２がハンドル３の先端と着脱可能な連結部を複数備えていることにより、ナット４の正面に雪１７等の障害物があった場合においても、複数の凹部９１，９２，９２のうちハンドル３の操作し易い角度を有する連結部を選択して連結することができる。
【００３８】
なお、この２つの凹部９２，９２の角度差は、一方が１５度、もう一方が３０度のように異なる角度を設け、使用し易い角度を選択できるように凹部９２，９２を配設してもよい。
【実施例３】
【００３９】
次に、実施例３に係るラチェットレンチ２００につき、図８及び図９を参照して説明する。なお、前記実施例に示される構成部分と同一構成部分に付いては同一符号を付して重複する構成の説明を省略する。
【００４０】
図８に示すように、本実施例のラチェットレンチ２００は、ヘッド装置２２及びハンドル３で構成され、ヘッド装置２２は、ヘッド部材６及び位置調整機構２３を備えるラチェット基部７２を有している。
【００４１】
位置調整機構２３は、ラチェット基部７２のヘッド部材６とは異なる反対側の端部から雄ネジ材５と平行に延びるように構成される直方体の筐体２４と、その筐体２４に収容されて筺体２４内を回転するウォーム２５及びウォーム２５を移動軸として移動可能な連結ウォーム２６とから構成される。
【００４２】
ウォーム２５は、円柱状の回転体の側面に対して螺旋状に歯を切り込んだ形状をなし、その両端部に円盤状のウォームベース２７を有している。また、ウォームベース２７の一部が筐体２４に形成された切欠部３０から露出しており、このウォームベース２７を外部から回転させることにより、ウォームベース２７を境に筐体２４の一部が軸受（図示省略）となってウォーム２５全体が回転可能になっている。
【００４３】
一方、連結ウォーム２６は、外形が略直方体の形状をなす螺嵌部２８及び螺嵌部２８に突起する受け部３１とから構成されている。螺嵌部２８は、ウォーム２５の外周に取り付けられ、内部が円柱状にくり抜かれた内周面２８ａにウォーム２５の歯面と噛み合うような螺旋状の溝を有している。受け部３１は、螺嵌部２８とは反対側の端部にハンドル３の凸部１２と嵌合可能な凹部９３（連結部）９３を有し、スリット２９から筐体２４の外部に露出している。
【００４４】
以上説明した通り、位置調整機構２３により、図９に示すように外部に露出したウォームベース２７を回してウォーム２５を回転させ、それに伴いウォーム２５の歯面と螺嵌部２８の内周面２８ａの溝が噛み合い、筐体２４の外部に露出した受け部３１がスリット２９の形状に添って移動することにより、連結ウォーム２６をウォーム２５の回転軸方向に移動させることができる。このように、位置調整機構２３を有することにより、ナット４の拘持のために固定されたヘッド部材６に対して凹部９３を有するウォーム２６の位置を移動させ、障害物を避けた位置にからハンドル３を連結することができる。
【００４５】
以上、本発明の実施例を図面により説明してきたが、具体的な構成はこれら実施例に限られるものではなく、本発明の要旨を逸脱しない範囲における変更や追加があっても本発明に含まれる。
【００４６】
例えば、前記各実施例では、ヘッド装置２，２１，２２が凹部、ハンドル３がその凹部に嵌合する凸部を有するものとして説明したが、これに限らず、ヘッド装置２，２１，２２が凸部、ハンドル３がその凸部に嵌合する凹部を設けてもよい。また、ヘッド装置２，２１，２２とハンドル３を連結できる形状であれば、例えばヘッド装置２，２１，２２の端部に円筒部を付設して構成し、この円筒内径よりやや径小な円柱部をハンドル３の先端に突設し、円柱側面部に、弾性体により突出付勢される凸部を設け、この凸部に嵌合可能な凹部を前記円筒内面に設けて容易に着脱を行えるようにしてもよい。
【符号の説明】
【００４７】
１                ラチェットレンチ
２                ヘッド装置
３                ハンドル部
４                ナット
５                雄ネジ材
６                ヘッド部材
７                ラチェット基部
８                連結部材
９                凹部（連結部）
１０              軸芯
１３              把持部
１４              除雪機
１５              車輪
１６              クローラーベルト
１７              雪（障害物）
２１，２２        ヘッド装置
２３              位置調整機構
２４              筐体
２５              ウォーム
２６              連結ウォーム
２７              ウォームベース
２８              螺嵌部
２９              スリット
７１，７２        ラチェット基部
９１，９２        凹部（連結部）
９３              凹部（連結部）
１００，２００    ラチェットレンチ
【図１】
2015120215.tif 000003
【図２】
2015120215.tif 000004
【図３】
2015120215.tif 000005
【図４】
2015120215.tif 000006
【図５】
2015120215.tif 000007
【図６】
2015120215.tif 000008
【図７】
2015120215.tif 000009
【図８】
2015120215.tif 000010
【図９】
2015120215.tif 000011
【手続補正書】
【提出日】平成27年1月19日(2015.1.19)
【手続補正１】
【補正対象書類名】特許請求の範囲
【補正対象項目名】全文
【補正方法】変更
【補正の内容】
【特許請求の範囲】
【請求項１】
雄ねじ材に取り付けられたナットの周辺に嵌合して回転を伝えるヘッド部と、前記ヘッド部を回転させるハンドル部を有し、
前記ハンドル部を前記雄ねじ材の周方向に回動往復することにより前記ナットを一方向にのみ回転させて締緩するラチェットレンチにおいて、
前記ヘッド部を有するヘッド装置の端部には、前記ハンドル部の先端に設けられた被連結部と着脱可能な連結部が複数設けられ、前記複数の連結部は、前記ヘッド装置に対して異なる角度に設けられ、その連結部を選択して前記ハンドル部を連結できることを特徴とするラチェットレンチ。
【手続補正２】
【補正対象書類名】明細書
【補正対象項目名】０００６
【補正方法】変更
【補正の内容】
【０００６】
前記課題を解決するために、本発明のラチェットレンチは、
雄ねじ材に取り付けられたナットの周辺に嵌合して回転を伝えるヘッド部と、前記ヘッド部を回転させるハンドル部を有し、
前記ハンドル部を前記雄ねじ材の周方向に回動往復することにより前記ナットを一方向にのみ回転させて締緩するラチェットレンチにおいて、
前記ヘッド部を有するヘッド装置の端部には、前記ハンドル部の先端に設けられた被連結部と着脱可能な連結部が複数設けられ、前記複数の連結部は、前記ヘッド装置に対して異なる角度に設けられ、その連結部を選択して前記ハンドル部を連結できることを特徴としている。
この特徴によれば、ナットや雄ネジ材の周辺に障害物があった場合においても、ヘッド装置をハンドル部から取り外してヘッド部をナットに嵌合させることができるため、ヘッド部のナットへの装着を容易に行え、かつ、ヘッド部がナットに嵌合したヘッド装置の連結部に対して、ハンドル操作可能な連結位置を適宜選択してハンドル部を連結することができるため、ナットの締付作業を効率よく行うことができる。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】